(57)【要約】【課題】  ブラケットをボルトで壁面に取り付ける際に、壁面が柔らかかったりすると、ブラケットを取り付ける際に、ボルトを締め付けるとブラケットの固定部が壁面内に沈み込んで、カバー単体をブラケットに嵌め込むことができなくなる。【解決手段】  本発明は、ブラケットカバー２３のカバー体３４上部に、ブラケット２０が挿通してカバー体３４をブラケット２０に装着可能とする挿通孔３５を設け、前記カバー体３４内壁面に、ブラケット２０外面との間でカバー体３４が設置面方向に段階的に押し込み係合可能とする係合手段４１、４２、４４、４５を備えた。【選択図】  図５
2006219883.tif 000002
【特許請求の範囲】
【請求項１】
設置面に固定したブラケットの基端部を被覆するブラケットカバーであって、当該ブラケットカバーのカバー体上部に、ブラケットが挿通してカバー体をブラケットに装着可能とする挿通孔を設け、前記カバー体内壁面に、ブラケット外面との間でカバー体が設置面方向に段階的に押し込み係合可能とする係合手段を備えたことを特徴とするブラケットカバー。
【請求項２】
前記カバー体は一対のカバー単体から構成され、ブラケット両側から挟み付けて被着する二つ割り構造とすることを特徴とする請求項１に記載のブラケットカバー。
【請求項３】
係合手段は、ブラケットと対向するカバー体の内壁面に、ブラケットの外面に形成された係合突起と係合し、ブラケットの設置面方向にカバー体を段階的に押し込み可能とする係合片を形成した構成とすることを特徴とする請求項１または請求項２に記載のブラケットカバー。
【発明の詳細な説明】
【技術分野】
【０００１】
本発明は、例えば、階段や廊下の壁面に手摺を取り付けたり、壁や柱等に棚を取り付けるためのブラケットの基端部を被覆して、美感を良くするためのブラケットカバーに関するものである。
【背景技術】
【０００２】
階段や廊下の壁面に手摺を取り付けたり、壁や柱等に棚を取り付けるためのブラケットは、ボルト等の固定手段を用いて壁面等に固定されているが、このボルト等が目に付くと美観上見苦しく好ましくないので、従来からボルトが取り付けられたブラケットの基端部をカバーで蓋っていた。
【０００３】
図１０は従来の手摺ブラケット用カバーの断面図を示すものであり、この図において、１が手摺、２がブラケット、３がブラケットカバーであって、ブラケット２が壁面にボルト４によって取り付けられている。
【０００４】
手摺１はアルミニウムの押し出し成型品の長尺な芯材５の表面に、断面がＣ字状の合成樹脂製の笠木６が嵌め込まれている。ブラケット２は壁面８に当接して固定する固定部７と、この固定部７の上端から連なって壁面８と反対方向に水平に突出した後、途中から斜め上方に延びる連結部９と、この連結部９の先端から垂直に延びる笠木支持部１０とから構成されている。前記手摺１は、ブラケット２の笠木支持部１０に嵌めこまれてビス１１により、しっかりと固定されている。
【０００５】
ブラケット２の基端部を蓋っているブラケットカバー３はＡＢＳ樹脂等で製作されており、略左右対称の二つ割れの一対のカバー単体１２からなり、ブラケット２の固定部７と連結部９を側面から覆う屈曲板１３と、この２枚の屈曲板１３の上部を覆う上板１４と、下部を覆う下板１５とからなり、上板１４と下板１５の後端縁には内方向に折り曲げられた嵌合縁１６が形成され、この嵌合縁１６がブラケット２の裏面側を切り欠いた凹欠部１７に嵌まり込むように構成されている。
【０００６】
この従来の手摺ブラケットカバー３は、ブラケット２を壁面８にボルト４により取り付けた後に、両側のカバー単体１２によりブラケット２の固定部７と連結部９を左右から挟み込むように保持して上板１４、下板１５にそれぞれ形成された係止突起と係合突起（共に図示せず）を相互に係合することによりカバー単体１２を一体化する。
【特許文献１】特開２００４−１４３８３１号公報
【発明の開示】
【発明が解決しようとする課題】
【０００７】
しかし、ブラケット２をボルト４により壁面８に取り付ける際に、壁面８にクッション性の壁材が貼り付けられていたり、石膏ボードのように壁材自体が柔らかかったりすると、ブラケット２を取り付ける際に、ボルト４をしっかり締め付けるとブラケット２の固定部７が壁面内に沈み込んでしまうおそれがある。固定部７が壁面８に沈み込むと、ブラケットカバー３の嵌合縁１６が嵌まり込むために設けられたブラケット２の凹欠部１７が壁面８に沈み込んでしまうために、嵌合縁１６が固定部７の裏面側に嵌まり込むだけのスペースがなくなり、カバー単体１２をブラケット２に嵌め込むことができなくなるという問題点がある。
【０００８】
このため、従来は柔らかい壁面８に手摺１を取り付ける場合には、ブラケット２の固定部７の背面側にあてがうスペーサ用プレート（図示せず）を予め用意しておき、このスペーサ用プレートを固定部７の裏面にあてがい、ブラケット２を壁面８に固定していた。このスペーサ用プレートを用いることによりブラケット２の沈み込みが緩和され、ブラケット２の凹欠部１７が壁面８に沈み込むのを防ぎ、手摺ブラケットカバー３をブラケット２に取り付けていた。
【０００９】
しかし、このスペーサ用プレートを用いる方法は当然コスト高となるばかりではなく、手間がかかり、しかも施工現場の壁面の種類によってはこのプレートが不必要な場合もあるので、手摺の付属品としてセットで付けても無駄になる可能性がある。
【００１０】
そこで、柔らかい壁用として特別に、ブラケットカバー３の嵌合縁１６を無くし、沈み込みがあっても上板１４と下板１５の後端が壁面８に当らないように設計変更することも考えられる。しかし、この方法もかかるブラケットカバー３を用意するにはそのための金型を必要とするため、コスト高になるのは必然的である。しかも、壁によっては沈み込みの程度が異なるので、ブラケットカバー３と壁面との間に隙間が開いて中のブラケット２が見えて見苦しく美感上好ましくない場合も生じる。
【００１１】
以上は手摺１を取り付ける際の問題点として説明したが、棚等を取り付ける場合であっても事情は全く同じである。
本発明はかかる従来の問題点を解決するもので、手摺１や棚等を取り付ける設置面が硬い場合であっても或いは柔らかい場合であっても一種類のブラケットカバー３で硬、軟両方の壁等の設置面に対応できるブラケットカバー３を提供することを目的とするものである。
【課題を解決するための手段】
【００１２】
上記目的を達成するために本発明は、設置面に固定したブラケットの基端部を被覆するブラケットカバーであって、当該ブラケットカバーのカバー体上部に、ブラケットが挿通してカバー体をブラケットに装着可能とする挿通孔を設け、前記カバー体内壁面に、ブラケット外面との間でカバー体が設置面方向に段階的に押し込み係合可能とする係合手段を備えたことを特徴とする。
【００１３】
上記構成の係合手段によって、ブラケットカバーを設置面方向に段階的に押し込んで、カバー体の嵌め込み位置を浅くも深くも調節することができる。
さらに、本発明のカバー体は一対のカバー単体から構成され、ブラケット両側から挟み付けて被着する二つ割り構造とすることを特徴とする。カバー体を二つ割り構造にすることにより、カバー体が破損したような場合に、カバー体をブラケット両側から挟み付けて被着すると簡単に取替えが可能となる。
【００１４】
さらに、本発明の係合手段は、ブラケットと対向するカバー体の内壁面に、ブラケットの外面に形成された係合突起と係合し、ブラケットの設置面方向にカバー体を段階的に押し込み可能とする係合片を形成した構成とすることを特徴とする。
【００１５】
上記構成の係合片が係合突起と係合する位置を調節することにより、ブラケットの沈み込みの深さに応じてブラケットカバーの嵌め込み位置を深くも浅くも調整することが可能である。
【発明の効果】
【００１６】
本発明によれば、設置面にブラケットが沈み込むことがあっても、ブラケットの取り付け時の沈み込みを一種類のブラケットカバーで対応することができる。
【発明を実施するための最良の形態】
【００１７】
以下において説明する実施の形態は、階段または廊下の壁面に手摺を取り付けるブラケットカバーとして説明するが、本発明はかかる用途のブラケットカバーに限定されるものではなく、棚等を設置するブラケットカバー又は、その他の用途のブラケットカバーであってもよい。
【００１８】
以下、本発明の実施の形態１について図面を参照しながら説明する。
〔実施の形態１〕
図１は本発明のブラケットカバーの正面右上方からの斜視図、図２は背面左上方からの斜視図、図３は縦断面図、図４は横断面図、図５は使用状態の縦断面図、図６は取り付け方法を示す斜視図、図７は設置が完了した斜視図である。
【００１９】
図５に示すように、ブラケット２０は壁面２１にボルト２２によって取り付けられ、このブラケット２０の基端部をブラケットカバー２３で蓋った後、ブラケット２０の笠木支持部２４の上端に手摺２５が嵌め込まれている。
【００２０】
本実施の形態１の手摺２５は、アルミニウム等を用いて押し出し成型した長尺な金属製芯材２６と、この芯材２６の外周に嵌め込まれた断面がＣ字状の合成樹脂製の笠木２７とから構成されている。金属製芯材２６は下端が開口してブラケットの笠木支持部２４が嵌合する嵌合凹部２８を有し、芯材２６の正面側と背面側にはビス４６を取り付けるためのフラットに削られた面２９を有する。
【００２１】
笠木２７は柔軟性の有る合成樹脂製で製作され、表面層に細菌や有害物質を分解する酸化チタンを練り込んだものも存在する。前記の金属製芯材２６をビス４６にて笠木支持部２４に取り付けた後、この芯材２６上から笠木２７のＣ字状の欠円部を強く押し当てると、欠円部が拡大して芯材２６に嵌まり込み、芯材２６の外周部の円弧状面と笠木２７の内周面とが密に嵌合する。笠木２７のＣ字状の欠円部には、内方向に屈曲した係止片３０が設けられ笠木２７が芯材２６に嵌まり込んで外れないように構成されている。本発明のブラケットカバー２３はかかる手摺２５に限定されることはなく、例えば金属製のパイプ状手摺や木製の棒状の手摺であってもよくその種類は問わない。
【００２２】
ブラケット２０は、所定の厚味を有する板体であって、ボルト２２により壁面２１に固定する固定部３１と、この固定部３１の上端から壁面２１とは反対方向に水平に延びる連結部３２と、この連結部３２の先端から垂直に延びる笠木支持部２４とから構成され、これらは一体に成形されている。固定部３１は中央部にボルト２２を挿通するための貫通孔が形成されている。連結部３２は固定部３１と笠木支持部２４に対してＬ字形に連接しているが、連結部３２と笠木支持部２４との間はアール部３３が形成され、図６に示すようにカバー体３４の挿通孔３５を挿通してブラケットカバー２３を取り付け可能としている。このブラケット２０はアルミニウムで製作されているがその材質は問わない。また、ブラケット２０の固定部３１を壁面２１にしっかり固定するために、コンクリートの壁面ではアンカーボルト、木質系の壁面ではコーチスクリュー等、その用途に応じて適正な固定手段を使用する。
【００２３】
ブラケットカバー２３のカバー体３４は、ＡＢＳ樹脂等で出来た成型品であって、一対のカバー単体３６によりブラケット２０両側から挟み付けて被着する二つ割り構造とし、ブラケット２０の基端部を被覆できる大きさに形成されている。本実施の形態では、固定部３１と連結部３２を被覆しているが、少なくとも固定部３１のボルトが見映えよく隠せる大きさにする必要がある。
【００２４】
カバー単体３６は前記ブラケット２０の側面を被覆する略三角形状の側板３７と、上面を被覆する上板３８と、下面（正面）を被覆する下板３９とから構成され、カバー単体３６同士が嵌合する内周縁部には、互いに嵌り合う嵌合縁部４０が形成され、さらに、上板３８と下板３９の嵌合縁部４０には、係合孔と係止片４７とが形成され、一対のカバー単体３６を結合してカバー体３４とする構成である。上板３８の壁面２１から遠い端部は切り欠かれており、ブラケット２０が挿通してカバー体３４をブラケット２０に装着可能とする挿通孔３５を構成している。なお、カバー体３４は上記のような三角形状に限定されるものではなく、四角形状、卵形のような楕円形状であってもよい。
【００２５】
カバー単体３６の壁面２１に近い上板３８裏面には、カバー体３４を壁面２１側に押し込むことができる方向に傾斜面が形成されたノコギリ歯状の係合片４１が２列形成されている。この係合片２１の歯の数は３個ないし４個であってこの係合片４１の寸法だけカバー体の移動寸法を設定することができる。この係合片４１と対向するブラケット２０の固定部３１の上面には、前記係合片４１と係合する係合突起４２が形成されている。前記カバー体３４の係合片４１とブラケット２０外面の係合突起４２とにより、カバー体３４が壁面２１方向に段階的に押し込み係合可能とする係合手段を構成する。前記係合片４１が設けられた上板３８部分は、多少上方に屈曲しており、前記フラットなブラケット２０の固定部３１上に形成された係合突起４２と的確に係合できるように構成されている。
【００２６】
カバー単体３６の下板３９の下部には逆Ｌ字形の台板４３が側板３７と下板３９に接して設けられており、この台板４３上に、カバー体３４を壁面２１側に押し込むことができる方向に傾斜面が形成されたノコギリ歯状の係合片４４が２列形成されている。前記台板４３の係合片４４と対向するブラケット２０の固定部３１の底面には、２列の山形の係合突起４５が形成されている。前記台板４３の高さは、係合片４４と係合突起４５が的確に係合できる寸法に設定されている。しかも台板４３の内側は、カバー体３４に接合しておらず浮いているため、合成樹脂製の逆Ｌ字形の台板４３は弾発力を有し、上下方向に多少、撓ることができるので、係合片４４と係合突起４５がスムースに係合すると共に、係合した後は台板４３の弾発力が係合片４４と係合突起４５の係合を確実に保持する。
【００２７】
次に、上記の実施の形態１の構成の設置手順について説明する。
まず、ブラケット２０をボルト２２によって所定間隔で壁面に固定する。コンクリートの壁面の場合は、壁面に孔を開けてアンカーボルト等でしっかりと固定する。木質系の壁面ではコーチスクリュー等で固定する。壁面２１が合成樹脂製の柔らかいボードや化粧板が貼り付けられていたり、壁面２１自体が石膏ボードのように柔らかい素材であってもボルト２２はしっかりと締め付ける。
【００２８】
ブラケット２０の取り付けが完了してから、ブラケットカバー２３を嵌め込んで手摺２５を取り付けるか、逆に手摺２５を取り付けて、ブラケットカバー２３を嵌め込む。ブラケットカバー２３を嵌め込むには、図６の実線で示すように、ブラケット２０の上方から、笠木支持部２４がカバー体３４の挿通孔３５に挿通するように斜めに嵌め込んで、カバー体３４をそのまま下方に移動させながらアール部３３を通過させてカバー体３４で固定部３１全体を覆うか、図８に示すように、カバー単体３６をブラケット２０の両側から挟み込むようにあてがってカバー単体３６同士を結合する。そして、カバー体３４を壁面２１方向にさらに力を加えて係合片４１、４４と係合突起４２、４４を係合させカバー体３４の背面が壁面２１に当接するまで押し込む。固定部３１が壁面２１に多少沈み込んだとしてもその分、カバー体３４の係合片４１、４４と係合突起４２、４４が浅く係合するだけで、係合が不可能ということはない。また、カバー体３４の背面と壁面との間に隙間が開いて体裁が悪くなるということもない。
【００２９】
手摺２５を取り付けるには、笠木支持部２４の上端に芯材２６の嵌合凹部２８を嵌め込んでビス４６によって芯材２６を笠木支持部２４に固定する。芯材２６の固定が完了してから笠木２７の欠円部を芯材２６の上方にあてがって、笠木２７を芯材２６に嵌め込んで図７に示すように組立は完了する。
【００３０】
なお、設置後にカバー体３４が破損したような場合は、この実施の形態１のブラケットカバー２３では、図８に示すようにしてブラケットカバーを取り付ければ、手摺２５をブラケット２０から外す必要が全く無いから作業性が良好である。
【００３１】
本実施の形態のブラケットカバー２３は、手摺２５を取り付けるブラケット２０が壁面２１に沈み込むことがあっても、その沈み込みの深さに応じてブラケットカバー２３の嵌め込み位置を深くも浅くも調整することが可能であり、ブラケット２０の取り付け時の沈み込みを一種類のブラケットカバー２３で対応することができる構成としている。
〔実施の形態２〕
図９は本発明の実施の形態２のブラケットカバー２３の背面側からの斜視図である。この実施の形態２は、実施の形態１のように、二つ割れの一対のカバー単体３６により構成されたものではなく、カバー体５０は一体である。その他の構成については前記実施の形態１と同じであるので図面の符号を同じくして詳細は省略する。この実施の形態２は新規に手摺を設置するような場合は前記の実施の形態１と同じである。
【００３２】
この実施の形態２のブラケットカバーも手摺２５を取り付けるブラケット２０が壁面２１に沈み込むことがあっても、その沈み込みの深さに応じてブラケットカバーの嵌め込み位置を深くも浅くも調整することが可能である。  
【００３３】
上記実施の形態１、２の係合手段は、前記カバー体３４内壁面の係合片４１、４４とブラケット外面の係合突起４２、４５とにより構成したが、この係合手段はかかる構成に限定されない。即ち、前記の実施の形態では、ノコギリ歯状の係合片４１、４４をカバー体３４に、係合突起４２、４５をブラケット２０に設けたが、これを逆にして係合片４１、４４をブラケット２０側に設け、係合突起４２、４５をカバー体３４、５０側に設けてもよい。さらに、係合片４１、４４がノコギリ歯状であったが、この係合片４１、４４を半円球状の突起を前後方向に複数個並べて配置したようなものであってもよい。係合片４１、４４や係合突起４２、４５の配置位置も前記の実施の形態１と２のような位置が好ましいが、かかる配置位置に限定されるものではなく、ブラケット２０とカバー体３４、５０が対向する面であって、ブラケットカバー２３を壁面２１方向に嵌めこむことができれば、どのような配置位置であってもよい。例えば、ブラケット２０の連結部３２の側面とカバー体３４、５０の側板３７の内面、固定部３１と側板３７の内面、連結部３２の上面とカバー体３４、５０の上板３８の内面等である。係止手段の数も上下に一対設ける必要はなく、一箇所又は三箇所以上であってもよい。
【産業上の利用可能性】
【００３４】
本発明のブラケットカバーは、廊下や階段の手摺を取り付けるブラケットや棚用のブラケットを取り付けるためのブラケットの基端部を被覆するために利用することができる。
【図面の簡単な説明】
【００３５】
【図１】本発明のブラケットカバーの正面右上方からの斜視図である。
【図２】本発明のブラケットカバーの背面左上方からの斜視図である。
【図３】本発明のブラケットカバーの縦断面図である。
【図４】本発明のブラケットカバーの横断面図である。
【図５】本発明のブラケットカバーの使用状態の縦断面図である。
【図６】本発明のブラケットカバーの取り付け方法を示す斜視図である。
【図７】本発明のブラケットカバーの使用状態図である。
【図８】本発明のブラケットカバーの組立状態図である。
【図９】本発明のブラケットカバーの他の実施の形態の斜視図である。
【図１０】従来の手摺ブラケット用カバーの使用状態の断面図である。
【符号の説明】
【００３６】
２０  ブラケット
２１  設置面
２３  ブラケットカバー
３４  カバー体
３５  挿通孔
３６  カバー単体
４１、４４  係合片（係合手段）
４２、４５  係合突起（係合手段）
【図１】
2006219883.tif 000003
【図２】
2006219883.tif 000004
【図３】
2006219883.tif 000005
【図４】
2006219883.tif 000006
【図５】
2006219883.tif 000007
【図６】
2006219883.tif 000008
【図７】
2006219883.tif 000009
【図８】
2006219883.tif 000010
【図９】
2006219883.tif 000011
【図１０】
2006219883.tif 000012